(57)【要約】【課題】光反射の表示機能は直接反射する効果より良くなり、その明るさが高くなるディスプレー装置を提供する。【解決手段】集束レンズ又は凹面反射鏡で光集まり装置１００が構成され、それにより、入射光を集まり及び集束する。また、より強い明るさの光を光導き装置１０１の一端に投入してから、光導き装置１０１のもう一端より、単方向又は多方向に文字又は図形の光反射を表示するものである。【選択図】      図１
2004347875.tif 000002
【特許請求の範囲】
【請求項１】
入射光の集まり及び光導きの反射によるディスプレー装置であり、
それは集束レンズ又は凹面反射鏡で光集まり装置が構成され、それによる、入射光を集まり及び集束し、又、より強い明るさの光を光導き装置の一端に投入してから、光導き装置のもう一端より、単方向又は多方向に文字又は図形の光反射を表示するものであり、
光集まり装置（１００）は、１セット又は１セット以上の集束レンズ又は凹面反射鏡による単方向又は多方向の受光を呈することで、方向を選定された入射光の光線を集めて強化してから、光導き装置（１０１）の一端に投入してから、光導き装置（１０１）のもう一端より、選定された文字又は図形の光反射を表示する装置であり、
光導き装置（１０１）は、反射鏡又は光導き繊維等のユニットで構成され、それによる、光集まり装置（１００）が光を受け取った後、その増加して出力する光束を引き受けてから、改めて単方向又は多方向を呈し、光導き装置（１０１）自体の投光分布又は整形光マスクで選定された文字、又は図形のより強い光束を生じる光反射のディスプレー装置であり、
上述の入射光の集まり及び光導きの反射によるディスプレー装置は、需要により単一の方向又は単一以上の方向に光集まり装置（１００）を設置可能であり、又、その光導き装置（１０１）による光で反射して表示する文字、又は図形が同一又は違っても良いのであり、
この装置も需要により、光の入射面から光集まり装置（１００）へ連続変化を生じさせる事を選ぶか、相対する光導き装置（１０１）による、表示面の投光位置及び文字、図形を設定することを選んでも良いので、光導き装置（１０１）が同一又は違う文字又は図形のプログラム化の連続する光反射表示機能をさせるものであることを特徴とする入射光の集まり及び光導きの反射によるディスプレー装置である。
【請求項２】
それを混合で応用する構造を使っても良く、即ち、同時に光エネルギーを電気エネルギーに転換する太陽エネルギー光電装置、風力発電装置、又は市販電源が設けられ、又は、需要による蓄電装置を合わせて、補助電源（１０４）を構成することで、下記のような補助機能を生じるものであり、
（１）これは入射光の集まり及び光導きの反射によるディスプレー装置に関するものであり、更に、光制御機能のある電気回路装置（１０２）を結び付けることで、周囲環境が暗くなる場合、電気エネルギーを光エネルギーに転換する補助ディスプレー装置（１０３）を駆動して表示させるが、環境が明るくなった場合すぐ断電を行ない、又は、入射光を引き受ける場合、補助ディスプレー装置（１０３）を駆動して連続の表示を行い、更に、入射光による補助ディスプレー装置（１０３）を駆動して、文字又は図形の表示をさせて、又は時間延長の定時断電制御を行なうことで、入射光を集めて強化した後、光導き装置（１０１）を経由して生じた文字又は図形の光反射を表示する混合表示機能に関するものであり、（２）入射光の集まり及び光導き反射によるディスプレー装置は、入射光で補助電気エネルギーによる電気エネルギーを駆動して光エネルギーに転換するディスプレー装置を起動し、
（３）入射光の集まり及び光導き反射によるディスプレー装置は、光エネルギーを電気エネルギーに転換する装置を有すので、入射光を電気エネルギーに転換してから蓄電装置に充電することで、電気エネルギーを光エレルギーに転換するディスプレー装置又は音声装置を駆動可能であることを特徴とする請求項１に記載の入射光の集まり及び光導きの反射によるディスプレー装置である。
【発明の詳細な説明】
【０００１】
（発明の背景）
（ａ）発明の属する技術分野
この発明は、入射光の集まり及び光導き反射によるディスプレー装置に関するものである。
（ｂ）従来の技術
従来の反射ディスプレー装置は、普通塗料又は反射幾何形状を呈する表面を利用して、光に反射表示を行い、その反射効果が良くなく、明るさも足りない。
【０００２】
（発明の概要）
この発明の主要な目的は、入射光の集まり及び光導きの反射によるディスプレー装置に関するものである。それは初めの集束レンズ又は凹面反射鏡で光集まり装置が構成され、それによる、入射光を集まり及び集束する。又、より強い明るさの光を光導き装置の一端に投入してから、光導き装置のもう一端より、単方向又は多方向に文字又は図形の光反射を表示するものである。それによる得られた光反射の表示機能は従来の直接反射する効果より良くなり、その明るさがもっと高くなる。
【０００３】
（好ましい形態の詳細な説明）
入射光の集まり及び光導き反射によるディスプレー装置に関するものである。それは初めの集束レンズ又は凹面反射鏡で光集まり装置が構成され、それによる、入射光を集まり及び集束する。又、より強い明るさの光を光導き装置の一端に投入してから、光導き装置のもう一端より、単方向又は多方向に文字又は図形の光反射を表示する。
【０００４】
図１は、入射光の集まり及び光導きの反射によるディスプレー装置の構造に関する説明図である。この入射光の集まり及び光導き反射によるディスプレー装置に係る構造又は固定構造を有する他、その主要な構造は下記の通りである。
光集まり装置１００は、１セット又は１セット以上の集束レンズ又は凹面反射鏡による単方向又は多方向の受光を呈することで、方向を選定された入射光の光線を集めて強化してから、光導き装置１０１の一端に投入してから、光導き装置１０１のもう一端より、選定された文字又は図形の光反射を表示する装置である。
【０００５】
光導き装置１０１は、反射鏡又は光導き繊維等のユニットで構成され、それによる、光集まり装置１００が光を受け取った後、その増加して出力する光束を引き受けてから、改めて単方向又は多方向を呈し、光導き装置１０１自体の投光分布又は整形光マスクで選定された文字、又は図形のより強い光束を生じる光反射のディスプレー装置である。
【０００６】
上述の入射光の集まり及び光導きの反射によるディスプレー装置は、需要による単一の方向又は単一以上の方向に光集まり装置１００を設置できる。又、その光導き装置１０１による光で反射して表示する文字、又は図形が同一又は違っても良い。
【０００７】
この装置も需要によって、光の入射面から光集まり装置１００へ連続変化を生じさせる事を選ぶか、又は相対する光導き装置１０１による、表示面の投光位置及び文字、図形を設定することを選んでも良いので、光導き装置１０１が同一又は違う文字又は図形のプログラム化の連続する光反射表示機能をさせるものである。この装置は混合で応用する構造を使っても良い。
【０００８】
図２は、入射光の集まり及び光導きの反射によるディスプレー装置を、電気エネルギーを光エネルギーに転換するディスプレー装置との混合応用の構造及び電気回路の説明図である。即ち、同時に光エネルギーを電気エネルギーに転換する太陽エネルギー光電装置、風力発電装置、又は市販電源が設けられる。又は、需要による蓄電装置を合わせて、補助電源１０４を構成することで、下記のような補助機能を生じるものである。
【０００９】
（１）これは入射光の集まり及び光導きの反射によるディスプレー装置に関するものである。更に、光制御機能のある電気回路装置１０２を結び付けることで、周囲環境が暗くなる場合、電気エネルギーを光エネルギーに転換する補助ディスプレー装置１０３を駆動して表示させるが、環境が明るくなった場合すぐ断電を行なう。又は、入射光を引き受ける場合、補助ディスプレー装置１０３を駆動して連続の表示を行い、更に、入射光による補助ディスプレー装置１０３を駆動して、文字又は図形の表示をさせて、又は時間延長の定時断電制御を行なうことで、入射光を集めて強化した後、光導き装置１０１を経由して生じた文字又は図形の光反射を表示する混合表示機能に関するものである。
【００１０】
（２）入射光の集まり及び光導き反射によるディスプレー装置は、入射光で補助電気エネルギーによる電気エネルギーを駆動して光エネルギーに転換するディスプレー装置を起動する。
（３）入射光の集まり及び光導き反射によるディスプレー装置は、光エネルギーを電気エネルギーに転換する装置を有するので、入射光を電気エネルギーに転換してから蓄電装置に充電することで、電気エネルギーを光エレルギーに転換するディスプレー装置又は音声装置を駆動できる。
【００１１】
上述のとおり、入射光の集まり及び光導きの反射によるディスプレー装置が入射光を集めて強化した後、光導き装置を経由して生じた文字又は図形の光反射表示機能は、従来の直接反射する効果より良くなり、その明るさがもっと高くなり、更にそれは新しいアイデアであるので、特許の請求を申し上げて、法律によるご審査願います。
【図面の簡単な説明】
【図１】本発明の実施例による入射光の集まり及び光導きの反射によるディスプレー装置の構造を示す説明図である。
【図２】本発明の実施例による入射光の集まり及び光導きの反射によるディスプレー装置の電気エネルギーを光エネルギーに転換するディスプレー装置との混合応用の構造及び電気回路を示す説明図である。
【図１】
2004347875.tif 000003
【図２】
2004347875.tif 000004
【外国語明細書】
2004347875.tif 000005
2004347875.tif 000006
2004347875.tif 000007
2004347875.tif 000008
2004347875.tif 000009
2004347875.tif 000010
2004347875.tif 000011
2004347875.tif 000012
2004347875.tif 000013
2004347875.tif 000014
2004347875.tif 000015